(57)【要約】【課題】水容器の内部備品に連なる条体を、水容器底部の通孔を通して外部に引き出せるようにすることで、条体を目立ちにくくして体裁を良好とし、併せてその条体と通孔間のシール性能を、メンテナンス性を損なうことなく高める。【解決手段】水容器Ｇの底部には、条体Ｃを挿通させて水容器Ｇの内部から外部へ引出すための通孔Ｈが形成され、通孔Ｈと条体Ｃとの間のシール手段Ｓが、水容器Ｇの底部上面に着座し得る環状フランジ部Ｏｆを上端に有する筒状に形成されて外周部が通孔Ｈにシール材Ｊを介して水密に嵌着される外筒Ｏと、この外筒Ｏよりも軟質の弾性材より筒状に形成されて内周部に条体Ｃを挿通させる内筒Ｉとより構成され、内筒Ｉの外周面には、外筒Ｏの内周面に圧入嵌合し得る先細り状のテーパ面Ｉｔが形成されていて、前記圧入嵌合により内筒Ｉの内周面がその全周に亘り条体Ｃの外周面に圧接する。【選択図】    図１
2005003079.tif 000002
【特許請求の範囲】
【請求項１】
水（Ｗ）を溜めた水容器（Ｇ）の内部および外部にそれぞれ配備される内部備品（Ｐ）および外部備品（Ｅ）の相互間を条体（Ｃ）で接続するようにした水容器において、
水容器（Ｇ）の底部には、条体（Ｃ）を挿通させて水容器（Ｇ）の内部から外部へ引出すための通孔（Ｈ）が形成され、
その通孔（Ｈ）と条体（Ｃ）との間には、その間をシールするシール手段（Ｓ）が設けられ、
このシール手段（Ｓ）は、水容器（Ｇ）の底部上面に着座し得る環状フランジ部（Ｏｆ）を上端に一体に有する筒状に形成されて少なくとも外周部が通孔（Ｈ）にシール材（Ｊ）を介して水密に嵌着される外筒（Ｏ）と、この外筒（Ｏ）よりも軟質の弾性材より筒状に形成されて内周部に条体（Ｃ）を摺動可能に挿通させる内筒（Ｉ）とより構成され、
内筒（Ｉ）の外周面には、外筒（Ｏ）の内周面に抜差可能に且つ水密に圧入嵌合し得る先細り状のテーパ面（Ｉｔ）が形成されていて、前記圧入嵌合により内筒（Ｉ）の内周面がその全周に亘り条体（Ｃ）の外周面に水密に圧接するようにしたことを特徴とする、水容器における条体挿通部のシール構造。
【請求項２】
外部備品（Ｅ）と、条体（Ｃ）の、水容器（Ｇ）外の端末に一体的に連設したカプラ（ＣＰ）とが着脱可能に連結され、前記外筒（Ｏ）の内周部が、前記カプラ（ＣＰ）の通過を許容する形状に形成されることを特徴とする、請求項１に記載の水容器における条体挿通部のシール構造。
【請求項３】
外筒（Ｏ）上端に一体に形成した前記環状フランジ（Ｏｆ）の外周部には、水容器（Ｇ）の底部上面に直接着座し得る下向きの環状受け片（Ｏｆａ）が一体に形成されることを特徴とする、請求項１又は２に記載の水容器における条体挿通部のシール構造。
【請求項４】
内筒（Ｉ）の上端には、外筒（Ｏ）の上側を覆う環状フランジ部（Ｉｆ）が一体に形成されることを特徴とする、請求項１，２又は３に記載の水容器における条体挿通部のシール構造。
【発明の詳細な説明】
【０００１】
【発明の属する技術分野】
本発明は、水を溜めた水容器の内部および外部にそれぞれ配備される内部備品および外部備品の相互間を条体で接続するようにした水容器における条体挿通部のシール構造に関する。
【０００２】
【従来の技術】
従来、水容器としてのガラス鉢の内部に那智石等の飾り石を敷き、その飾り石の直下の水中に設置した水中ポンプから水を上方に吐出させることにより、その水を飾り石を通して水面上に噴水状に吹き上げるようにした置物が知られている。そして、このような置物では、ガラス鉢の水面下にある内部備品としての水中ポンプに電力供給を行う条体としての電気コードを、ガラス鉢の水面上に引き出して、外部備品としての外部電源コンセントに接続するようにしていた。
【０００３】
【発明が解決しようとする課題】
しかしながら上記従来のものでは、条体（電気コード）が水容器（ガラス鉢）の水面上より外部に引き出されるため、水容器上で露出する条体が目障りで、外観、体裁が悪い等の問題があった。
【０００４】
そこで斯かる問題を解決するために、水容器（ガラス鉢）の底部を通して条体（電気コード）を外部に引出すことが考えられるが、その場合には、条体の水容器底部に対する挿通部からの水漏れの心配がある。またこの水漏れを防止するために、該挿通部に対して恒久的なシール処理を施したのでは、内部備品（水中ポンプ）を水容器から取り出して行う清掃、点検、交換等のメンテナンス作業が面倒なものとなる問題もある。
【０００５】
本発明は、斯かる事情に鑑みてなされたものであり、上記従来の問題を簡単な構成で解決することができる、水容器における条体挿通部のシール構造を提供することを目的とする。
【０００６】
【課題を解決するための手段】
上記目的を達成するために請求項１の発明は、水を溜めた水容器の内部および外部にそれぞれ配備される内部備品および外部備品の相互間を条体で接続するようにした水容器において、水容器の底部には、条体を挿通させて水容器の内部から外部へ引出すための通孔が形成され、その通孔と条体との間には、その間をシールするシール手段が設けられ、このシール手段は、水容器の底部上面に着座し得る環状フランジ部を上端に一体に有する筒状に形成されて少なくとも外周部が通孔にシール材を介して水密に嵌着される外筒と、この外筒よりも軟質の弾性材より筒状に形成されて内周部に条体を摺動可能に挿通させる内筒とより構成され、内筒の外周面には、外筒の内周面に抜差可能に且つ水密に圧入嵌合し得る先細り状のテーパ面が形成されていて、前記圧入嵌合により内筒の内周面がその全周に亘り条体の外周面に水密に圧接するようにしたことを特徴とする。
【０００７】
この請求項１の上記特徴によれば、水容器の内部備品に連なる条体を、水容器底部の通孔を通して外部に引き出せるようにしたので、条体を水容器の水面上に引き出すようにした従来構造と比べて条体が目立たず、外観、体裁が良好となる。また使用に当たっては、水容器底部の通孔にシール材を介して外筒を予め嵌着しておき、この外筒の内周面に、内周部に条体を摺動可能に挿通させた比較的軟質の内筒の先細りテーパ状の外周面を圧入嵌合させるようにすると、この圧入嵌合による外筒から内筒側への圧迫作用で内筒の内周面がその全周に亘り条体の外周面に水密に圧接するようになって、通孔と条体との挿通部のシールが的確に行われる。またこのセット状態から、内筒を外筒に対し上方に引き抜くようにすれば、上記圧入嵌合状態が難なく解消されて条体が水容器に対しフリーとなり、その条体に連なる内部備品を水容器外に簡単に取り出せるため、その内部備品に対する点検、清掃、交換等のメンテナンス作業が簡便となる。また外筒の上端に、水容器の上面に着座し得る環状フランジ部を一体化したことにより、内筒を外筒にその上方より圧入嵌合させる際に外筒が受ける圧入荷重を該フランジ部を介して水容器底部で受けることができるため、同荷重が外筒の外周部と通孔との嵌合面間に存するシール材に対し大きな圧縮又は剪断荷重となって作用する虞れはなく、該シール材による外筒保持作用やシール作用を長期間良好に保つことができる。
【０００８】
また請求項２の発明は、請求項１の上記特徴に加えて、外部備品と、条体の、水容器外の端末に一体的に連設したカプラとが着脱可能に連結され、前記外筒の内周部が、前記カプラの通過を許容する形状に形成されることを特徴とする。
【０００９】
この請求項２の上記特徴によれば、前述のように内筒を外筒に対し上方に引き抜いて条体を水容器に対しフリーとした場合において、その条体の端末に位置するカプラを外部備品より切り離し且つ外筒の内周部を通過させて上方に引き上げることにより、条体及び内部備品を、外部備品に邪魔されずに水容器より完全に分離できるようになり、その内部備品に対する点検、清掃、交換等のメンテナンス作業が一層簡便となる。
【００１０】
また請求項３の発明は、請求項１又は２の上記特徴に加えて、外筒上端の前記環状フランジの外周部には、水容器の底部上面に直接着座し得る下向きの環状受け片が一体に形成されることを特徴とする。
【００１１】
この請求項３の上記特徴によれば、その環状受け片の内側で外筒上端の環状フランジ部下面と水容器の底部上面との間にシール材の充填可能な環状空隙を確保可能となってシール材によるシール機能が一層向上するばかりか、このシール材が水容器の底部上面と外筒との間から食み出すのを環状受け片により阻止することができる。
【００１２】
また請求項４の発明は、請求項１，２又は３の上記特徴に加えて、内筒の上端には、外筒の上側を覆う環状フランジ部が一体に形成されることを特徴としている。
【００１３】
この請求項４の上記特徴によれば、内筒を外筒内周に圧入嵌合させる際に、その内筒上端と一体の比較的大径の環状フランジ部に指を掛けることで圧入荷重を無理なく的確に内筒に加えることが可能となり、しかもこの内筒上端の環状フランジ部により、外筒の上側を体裁よく覆うことができる。
【００１４】
【発明の実施の形態】
本発明の実施の形態を、添付図面に例示した本発明の実施例に基づいて以下に具体的に説明する。
【００１５】
添付図面において、図１〜図３は本発明の一実施例を示すもので、図１は、ガラス鉢の全体縦断面図、図２は、図１の２−２線拡大断面図、図３は、電気コード挿通部のシール手段の、図２に対応した分解断面図である。
【００１６】
先ず、図１において、水Ｗを溜めた水容器としてのガラス鉢Ｇは、その中央部に比較的深い皿状の中央皿部Ｇａと、その中央皿部Ｇａの外周部に一体に連なる比較的浅い環状皿部Ｇｂとで構成される。そのガラス鉢Ｇの中央皿部Ｇａ内には、飾り石としての多数の那智石１が敷きつめられており、それら那智石１の下方には、内部備品としての水中ポンプＰが設置され、この水中ポンプＰは、前記中央皿部Ｇａの上面に吸盤等を介して着脱可能に固定される。この水中ポンプＰと、ガラス鉢Ｇ外に配備される変圧機能付きアダプタＥとの間は、該ポンプＰに電力を供給するための、条体としての可撓性を有する電気コードＣを介して接続されている。
【００１７】
電気コードＣの水容器Ｇ外の端末には、カプラＣＰが一体的に連設されており、このカプラＣＰは、前記アダプタＥに着脱可能に連結される。そのアダプタＥは、家庭用電源コンセントＥｆに接続可能な接続端子を有しており、その接続時に家庭用電源コンセントＥｆからの１００Ｖ交流電圧を所定の低電圧（例えば１２Ｖ）の直流電圧に変換してカプラＣＰ側（即ち水中ポンプＰ）側に供給する機能を果たす。
【００１８】
ガラス鉢Ｇの中央皿部Ｇａの底部には、前記電気コードＣを挿通させてガラス鉢Ｇの内部から外部へ引出すための通孔Ｈが上下方向に形成される。その通孔Ｈの内周と電気コードＣの外周との間には、その間をシールするシール手段Ｓが設けられており、次にそのシール手段Ｓの構成を、図２及び図３を併せて参照して、説明する。
【００１９】
前記シール手段Ｓは、比較的硬質の材料（図示例では硬質の合成樹脂材）より筒状に形成される外筒Ｏと、この外筒Ｏよりも軟質で且つ耐水性のある弾性材（図示例ではゴム材）より筒状に形成されて内周部に電気コードＣを摺動可能に挿通させる内筒Ｉとより構成される。
【００２０】
外筒Ｏは、前記通孔Ｈの内周面に嵌合される円筒状の外筒本体Ｏｍと、その外筒本体Ｏｍの上端に一体に形成されてガラス鉢Ｇの底部上面に着座可能な外向きの環状フランジ部Ｏｆとよりポペット状に一体成形される。
【００２１】
前記外筒本体Ｏｍの外周面と通孔Ｈの内周面との間には、円筒状の第１環状空隙ｓ１が形成され、そこに耐水性を有するシール材としてのシリコーン樹脂Ｊが注入、固化される。また外筒本体Ｏｍの内周面は、下方に向かうにつれて内径が僅かに漸減するテーパ面Ｏｍｔに形成される。また外筒本体Ｏｍの内周部は、前記カプラＣＰの通過を許容し得るよう該カプラＣＰの最大外径よりも内径を大きくした形状に形成される。
【００２２】
また前記環状フランジＯｆの外周部には、ガラス鉢Ｇの底部上面に直接着座し得る下向きの環状受け片Ｏｆａが全周に亘り一体に形成されており、従って、この環状受け片Ｏｆａの内側で外筒Ｏ上端の環状フランジ部Ｏｆ下面とガラス鉢Ｇの底部上面との間には、円板状の第２環状空隙ｓ２が形成され、そこにも、前記シリコーン樹脂Ｊが注入、固化される。第１，第２環状空隙ｓ１，ｓ２は相互に連通しており、それら空隙ｓ１，ｓ２に亘ってシリコーン樹脂Ｊが充填されることで、外筒Ｏと通孔Ｈ間のシール性が効果的に高められる。また上記環状受け片Ｏｆａの形成により、シリコーン樹脂Ｊがガラス鉢Ｇの底部上面と外筒Ｏとの間から食み出すのを効果的に阻止することができる。
【００２３】
また前記内筒Ｉの外周面には、外筒Ｏの内周面に抜差可能に且つ水密に圧入嵌合し得る下方に先細り状のテーパ面Ｉｔが形成されており、またその内筒Ｉの上端には、外筒Ｏの上側を覆う外向きの環状フランジ部Ｉｆが一体に形成されている。
【００２４】
而して外筒Ｏのテーパ状内周面Ｏｍｔと、内筒Ｉのテーパ状外周面Ｉｔとの間には十分な圧入締代が設定されており、しかも内筒Ｉの内周面と電気コードＣとの間の摺動間隙は、その相互間にガタのない程度（即ちスムーズには相対摺動し得ない程度）に小さめに設定されている。そして、前記圧入嵌合の際には図２に示すように外筒Ｏの上端寄りのテーパ状内周面Ｏｍｔが、内筒Ｉの軸方向中間部におけるテーパ状外周面Ｉｔに対し径方向内方側に多少喰込むように圧入し、その圧入による外筒Ｏから内筒Ｉ側への圧迫作用で、内筒Ｉの軸方向中間部が径方向内方側に弾性収縮変形して内筒Ｉ内周面がその全周に亘り条体Ｃの外周面に水密に圧接するようになる。
【００２５】
かくして、内筒Ｉの内周面と電気コードＣ外周面との間、並びに内筒Ｉの外周面と外筒Ｏの内周面との間が各々十分にシールされ、また外筒Ｏ及び通孔Ｈ間もシリコーン樹脂Ｊによりシールされる。
【００２６】
尚、内筒Ｉの下半部は、その内径が下方に向かって僅かに漸増するテーパ面１０に形成されており、これにより、内筒Ｉへの電気コードＣの挿通を容易にする効果があるが、本発明では、このようなテーパ面１０に代えて、内筒Ｉの内径をその全長に亘り等径としてもよい。
【００２７】
次に前記実施例の作用を説明する。
【００２８】
使用に当たっては、ガラス鉢Ｇの底部の通孔Ｈにシリコーン樹脂Ｊを介して外筒Ｏを予め嵌着しておく。この嵌着に際しては、外筒Ｏの外筒本体Ｏｍを通孔Ｈに上方より差込むと共に、その上端の環状フランジＯｆをガラス鉢Ｇの底部上面に着座させ、この状態で外筒本体Ｏｍと通孔Ｈとの間の環状間隙ｓ１内（延いては環状フランジＯｆ下面とガラス鉢Ｇの底部上面との間の環状間隙ｓ２内）に下方よりシリコーン樹脂Ｊを注入し、固化させる。尚、必要に応じて上記シリコーン樹脂Ｊの注入前に適当なポリマー樹脂を通孔Ｈの内周面や上部開口縁部に下塗り塗布してシリコーン樹脂Ｊのガラス面に対する馴染み性、接着性を高めるようにしてもよい。
【００２９】
そして、ガラス鉢Ｇ内に飾り石としての多数の那智石１を敷きつめると共に、その那智石１の下方に水中ポンプＰを設置、固定する。また、水中ポンプＰに連なり且つ内筒Ｉ内を挿通させた電気コードＣとその外端末のカプラＣＰとを、外筒Ｏ内を通してガラス鉢Ｇの底部下方に引出してから、カプラＣＰをアダプタＥに接続し、さらにそのアダプタＥの接続端子を一般家庭用の電源コンセントＥｆに差し込む。
【００３０】
しかる後、外筒Ｏのテーパ状内周面Ｏｔに、内筒Ｉの先細りテーパ状の外周面Ｉｔを上方より押し込んで圧入嵌合させると、この圧入嵌合による外筒Ｏから内筒Ｉ側への圧迫作用で内筒Ｉの内周面がその全周に亘り電気コードＣの外周面に水密に圧接するようになって、通孔Ｈと電気コードＣとの挿通部のシールが的確に行われる。
【００３１】
このようにしてガラス鉢Ｇの内部備品としての水中ポンプＰに連なる電気コードＣを、ガラス鉢Ｇ底部の通孔Ｈを通して外部に引き出せるようにしたので、電気コードＣ水面上に引き出すようにした従来構造と比べて電気コードＣが目立たず、外観、体裁が良好となる。
【００３２】
またメンテナンスに際しては、ガラス鉢Ｇより水を抜いた後で、内筒Ｉを外筒Ｏに対し上方に引き抜くようにすれば、上記圧入嵌合状態が難なく解消されて電気コードＣがフリーとなる。これにより、その電気コードＣに連なる水中ポンプＰをガラス鉢Ｇ外に簡単に取り出すことができるため、同ポンプＰに対する点検、清掃、交換等のメンテナンス作業が簡便となる。
【００３３】
また外筒Ｏの上端には、ガラス鉢Ｇの上面に着座し得る環状フランジ部Ｏｆを一体化されている。これにより、内筒Ｉを外筒Ｏにその上方より圧入嵌合させる際に外筒Ｏが受ける圧入荷重を該フランジ部Ｏｆを介してガラス鉢Ｇ底部で受けることができるので、上記荷重が外筒Ｏと通孔Ｈとの間の間隙ｓ１，ｓ２に存するシリコーン樹脂Ｊに対し大きな圧縮又は剪断荷重となって作用する虞れはなくなり、該シリコーン樹脂Ｊによる外筒保持作用やシール作用が長期間良好に保たれる。
【００３４】
また図示例では、外筒Ｏの内周部が、カプラＣＰの通過を許容する形状に形成されている。そのため、前述のように内筒Ｉを外筒Ｏに対し上方に引き抜いて電気コードＣをガラス鉢Ｇに対しフリーとした場合において、その電気コードＣの外端末に位置するカプラＣＰをアダプタＥより切り離し且つ外筒Ｏ内を通過させて上方に引き上げることにより、電気コードＣ及び水中ポンプＰを、比較的大形のアダプタＥに邪魔されずにガラス鉢Ｇより完全に分離することが可能となり、その水中ポンプＰに対する点検、清掃、交換等のメンテナンス作業が一層簡便となる。
【００３５】
以上、本発明の実施例について説明したが、本発明はその実施例に限定されることなく、本発明の範囲内で種々の実施例が可能である。
【００３６】
即ち、前記実施例では、水容器としてガラス鉢Ｇを、また内部備品・外部備品としてそれぞれ水中ポンプＰ・アダプタＥを、また条体として電気コードＣをそれぞれ例示したが、本発明は、内部備品と外部備品間を条体で接続するようにした種々の水容器に実施可能であり、例えば、水容器として鑑賞魚用水槽を、また内部備品・外部備品としてそれぞれ気泡噴出用エアストン・外部エアポンプを、また条体としてエアポンプ及びエアストン間を接続するエアチューブを用いた鑑賞魚用水槽セットに実施してもよい。また水容器はガラス製に限定されず、アクリル樹脂その他の耐水性樹脂で形成してもよい。
【００３７】
また前記実施例では、外筒Ｏ上端に一体に形成した環状フランジＯｆの外周部に、水容器としてのガラス鉢Ｇの底部上面に直接着座し得る下向きの環状受け片Ｏｆａを一体化して、該フランジＯｆの下面とガラス鉢Ｇの底部上面との間に第２環状空隙ｓ２を形成したものを示したが、本発明（請求項１，２，４）では、上記環状受け片Ｏｆａを省略して、該フランジＯｆの下面をガラス鉢Ｇの底部上面に全面に亘り当接させるようにしてもよい。
【００３８】
【発明の効果】
以上のように請求項１〜４の各発明によれば、水容器の内部備品に連なる条体を、水容器底部の通孔を通して外部に引き出せるようにしたので、条体が目立たず、外観、体裁が良好となる。また使用に当たっては、水容器底部の通孔にシール材を介して予め嵌着した外筒の内周面に、内周部に条体を挿通させた比較的軟質の内筒の先細りテーパ状の外周面を圧入嵌合させるので、この圧入嵌合による外筒から内筒側への圧迫作用で、内筒の内周面を条体の外周面に水密に圧接させることができて、通孔と条体との挿通部のシール性を十分に確保できる。またこのセット状態から、内筒を外筒に対し上方に引き抜くようにすれば、上記圧入嵌合状態が難なく解消されて条体が水容器に対しフリーとなるため、その内部備品に対する点検、清掃、交換等のメンテナンス作業が簡便となる。また外筒の上端に、水容器の上面に着座し得る環状フランジ部を一体化したことにより、前記圧入嵌合の際に外筒が受ける圧入荷重を該フランジ部を介して水容器底部で受けることができるため、同荷重が外筒の外周部と通孔との嵌合面間に存するシール材に対し大きな圧縮又は剪断荷重となって作用せず、該シール材による外筒保持作用やシール作用を長期間良好に保つことができる。
【００３９】
また特に請求項２の発明によれば、前述のように内筒を外筒に対し上方に引き抜いて条体を水容器に対しフリーとした場合において、その条体の端末に位置するカプラを外部備品より切り離し且つ外筒内を通過させて上方に引き上げ可能としたので、条体及び内部備品を、外部備品に邪魔されずに水容器より完全に分離できるようになって、その内部備品に対する点検、清掃、交換等のメンテナンス作業が一層簡便となる。
【００４０】
また特に請求項３の発明によれば、外筒上端に一体化した上記環状フランジの外周部に、水容器の底部上面に直接着座し得る下向きの環状受け片を一体に形成したので、その環状受け片の内側で環状フランジ部下面と水容器の底部上面との間にシール材の充填可能な環状空隙を確保可能となってシール材によるシール機能が一層向上する上、このシール材が水容器の底部上面と外筒との間から食み出すのを環状受け片により体裁よく阻止できる。
【００４１】
また特に請求項４の発明によれば、内筒を外筒内周に圧入嵌合させる際に、その内筒上端に一体化した環状フランジ部に指を掛けることで圧入荷重を無理なく的確に内筒に加えることが可能となり、しかもこの内筒上端の環状フランジ部により、外筒の上側を体裁よく覆うことができる。
【図面の簡単な説明】
【図１】本発明の一実施例に係るガラス鉢の全体縦断面図
【図２】図１の２−２線拡大断面図
【図３】電気コード挿通部のシール手段の、図２に対応した分解断面図
【符号の説明】
Ｃ・・・・条体としての電気コード
ＣＰ・・・カプラ
Ｅ・・・・外部備品としてのアダプタ
Ｈ・・・・通孔
Ｇ・・・・水容器としてのガラス鉢
Ｉ・・・・内筒
Ｉｆ・・・環状フランジ部
Ｉｔ・・・テーパ面
Ｊ・・・・シール材としてのシリコーン樹脂
Ｏ・・・・外筒
Ｏｆ・・・環状フランジ部
Ｏｆａ・・環状受け片
Ｐ・・・・内部備品としての水中ポンプ
Ｓ・・・・シール手段
Ｗ・・・・水
【図１】
2005003079.tif 000003
【図２】
2005003079.tif 000004
【図３】
2005003079.tif 000005